(57)【要約】【課題】空気が通り抜ける通路を照明装置内に確保しつつ、照明装置の高さを低く抑える。【解決手段】照明装置１０は、ケース２１と、反射板２２と、端板２３と、取付具１３と、光源ユニット１４とを備える。光源ユニット１４が取り付けられるケース２１に端子台が収納される。ケース２１の側面部５１および光源ユニット１４の側面部４１から離れた位置に反射板２２が設置され、ケース２１の側面部５１と反射板２２との隙間７２および光源ユニット１４の側面部４１と反射板２２との隙間７３が、空気が通り抜ける通路１１の少なくとも一部を形成する。【選択図】図４
2018073626.tif 000002
【特許請求の範囲】
【請求項１】
空気が通り抜ける通路を有する照明装置において、
１対の側面部と、当該側面部同士をつなぐ底面部と、当該底面部に対向し、開口された開口面部とを有するケースと、
１対の側面部を有し、前記ケースの開口面部に取り付けられ、前記ケースに収納された端子台を介して給電されて点灯する光源ユニットと、
前記ケースの側面部および前記光源ユニットの側面部から離れた位置に設置され、前記ケースの側面部との隙間および前記光源ユニットの側面部との隙間が前記通路の少なくとも一部を形成する反射板と
を備える照明装置。
【請求項２】
前記反射板は、前記ケースの開口面部から底面部に向かう方向において前記ケースの底面部と同じか前記ケースの底面部から開口面部のある側にずれた位置に設置され、前記ケースの側面部との隙間が前記通路の出口を形成する第一面部と、当該第一面部につながり、少なくとも前記ケースの側面部との隙間が前記通路の一部を形成する第二面部と、当該第二面部につながり、少なくとも前記光源ユニットの側面部との隙間が前記通路の別の一部を形成する第三面部とを有し、
前記ケースおよび前記反射板の少なくともいずれかは、前記ケースの側面部と前記反射板の第一面部との隙間を遮蔽して、前記通路の出口が前記通路を通して視認されることを防いでいる請求項１に記載の照明装置。
【請求項３】
前記ケースは、前記ケースの一方の側面部から他方の側面部に向かう幅方向において前記ケースの外側に突出し、前記ケースの側面部と前記反射板の第一面部との隙間を遮蔽する突出部を有する請求項２に記載の照明装置。
【請求項４】
前記反射板の第一面部は、前記ケースの突出部の突出している端と、前記反射板の第二面部の、前記反射板の第三面部につながっている端とを結ぶ直線の延長線に対して、前記ケースの底面部に近い側まで延びている請求項３に記載の照明装置。
【請求項５】
前記反射板は、前記反射板の第一面部の、前記反射板の第二面部につながっている側とは反対側の端から立ち上がる補強部を有する請求項２から４のいずれか１項に記載の照明装置。
【請求項６】
前記反射板の第二面部には、前記通路の別の出口を形成する貫通孔が設けられている請求項２から５のいずれか１項に記載の照明装置。
【請求項７】
前記反射板の第一面部は、前記ケースの開口面部から底面部に向かう方向において前記ケースの底面部から開口面部のある側にずれた位置に設置され、
前記ケースの側面部の、前記ケースの開口面部から底面部に向かう方向において前記反射板の第一面部から前記ケースの底面部のある側にずれた位置には、前記端子台に接続される電線を引き込むための引込孔が設けられている請求項２から６のいずれか１項に記載の照明装置。
【請求項８】
前記反射板は、前記ケースに取り付けられ、
前記反射板には、前記通路の出口を形成する貫通孔が設けられ、
前記ケース、前記光源ユニットおよび前記反射板の少なくともいずれかは、前記反射板の貫通孔を遮蔽して、前記通路の出口が前記通路を通して視認されることを防いでいる請求項１に記載の照明装置。
【請求項９】
前記反射板は、前記ケースの底面部と連結された第一面部と、当該第一面部につながり、少なくとも前記ケースの側面部との隙間が前記通路の一部を形成する第二面部と、当該第二面部につながり、少なくとも前記光源ユニットの側面部との隙間が前記通路の別の一部を形成する第三面部とを有し、
前記反射板の貫通孔は、前記反射板の第一面部の、前記ケースの底面部と重なっている位置に設けられている請求項８に記載の照明装置。
【請求項１０】
前記反射板は、前記ケースの底面部と連結された第一面部と、当該第一面部につながり、少なくとも前記ケースの側面部との隙間が前記通路の一部を形成する第二面部と、当該第二面部につながり、少なくとも前記光源ユニットの側面部との隙間が前記通路の別の一部を形成する第三面部とを有し、
前記反射板の貫通孔は、前記反射板の第二面部に設けられ、
前記反射板の第二面部は、前記光源ユニットの側面部の、前記ケースから遠い側の端と、前記反射板の第二面部の、前記反射板の第一面部につながっている端とを結ぶ直線に対して、前記ケースの底面部に近い側に設けられている請求項８に記載の照明装置。
【請求項１１】
空気が通り抜ける通路を有する照明装置用の反射板において、
前記照明装置は、
１対の側面部と、当該側面部同士をつなぐ底面部と、当該底面部に対向し、開口された開口面部とを有するケースと、
１対の側面部を有し、前記ケースの開口面部に取り付けられ、前記ケースに収納された端子台を介して給電されて点灯する光源ユニットと
を備え、
前記反射板は、
前記ケースの底面部と連結された第一面部と、
前記第一面部につながり、少なくとも前記ケースの側面部との隙間が前記通路の一部を形成する第二面部と、
前記第二面部につながり、少なくとも前記光源ユニットの側面部との隙間が前記通路の別の一部を形成する第三面部と
を有する反射板。
【発明の詳細な説明】
【技術分野】
【０００１】
本発明は、照明装置および照明装置用の反射板に関するものである。
【背景技術】
【０００２】
特許文献１に記載されている天井用照明器具は、着脱自在に装着される蛍光ランプと、下面側に装着される反射板とを備える。反射板は、蛍光ランプの側面部を覆う主板部と、蛍光ランプの上面部を覆う副板部とを有する。主板部と副板部との間には、空調リターン穴が形成されている。
【先行技術文献】
【特許文献】
【０００３】
【特許文献１】特開２００４−１３４３４９号公報
【発明の概要】
【発明が解決しようとする課題】
【０００４】
特許文献１に記載されている天井用照明器具は、上面側に安定器を格納する安定器ボックスを備える。そのため、安定器ボックス分器具高さが高くなってしまい、天井裏のスペースが狭い場合には器具を設置できないおそれがある。
【０００５】
本発明は、空気が通り抜ける通路を照明装置内に確保しつつ、照明装置の高さを低く抑えることを目的とする。
【課題を解決するための手段】
【０００６】
本発明の一態様に係る照明装置は、
空気が通り抜ける通路を有する照明装置であり、
１対の側面部と、当該側面部同士をつなぐ底面部と、当該底面部に対向し、開口された開口面部とを有するケースと、
１対の側面部を有し、前記ケースの開口面部に取り付けられ、前記ケースに収納された端子台を介して給電されて点灯する光源ユニットと、
前記ケースの側面部および前記光源ユニットの側面部から離れた位置に設置され、前記ケースの側面部との隙間および前記光源ユニットの側面部との隙間が前記通路の少なくとも一部を形成する反射板とを備える。
【発明の効果】
【０００７】
本発明では、光源ユニットが取り付けられるケースに端子台が収納される。よって、ケースとは別のボックスを用意する必要がなく、照明装置の高さを低く抑えることができる。また、ケースの側面部および光源ユニットの側面部から離れた位置に反射板が設置され、ケースの側面部と反射板との隙間および光源ユニットの側面部と反射板との隙間が、空気が通り抜ける通路の少なくとも一部を形成する。よって、空気が通り抜ける通路を照明装置内に確保することができる。
【図面の簡単な説明】
【０００８】
【図１】実施の形態１に係る照明装置の斜視図。
【図２】実施の形態１に係る照明装置の斜視図。
【図３】実施の形態１に係る照明装置の分解斜視図。
【図４】実施の形態１に係る照明装置の断面図。
【図５】実施の形態１に係る照明装置の分解断面図。
【図６】実施の形態１に係る光源ユニットの斜視図。
【図７】実施の形態２に係る照明装置の斜視図。
【図８】実施の形態２に係る照明装置の斜視図。
【図９】実施の形態２に係る照明装置の分解斜視図。
【図１０】実施の形態２に係る照明装置の断面図。
【図１１】実施の形態２に係る照明装置の分解断面図。
【図１２】実施の形態３に係る照明装置の斜視図。
【図１３】実施の形態３に係る照明装置の斜視図。
【図１４】実施の形態３に係る照明装置の分解斜視図。
【図１５】実施の形態３に係る照明装置の断面図。
【図１６】実施の形態３に係る照明装置の分解断面図。
【図１７】実施の形態４に係る照明装置の斜視図。
【図１８】実施の形態４に係る照明装置の斜視図。
【図１９】実施の形態４に係る照明装置の分解斜視図。
【図２０】実施の形態４に係る照明装置の断面図。
【図２１】実施の形態４に係る照明装置の分解断面図。
【図２２】実施の形態５に係る照明装置の斜視図。
【図２３】実施の形態５に係る照明装置の斜視図。
【図２４】実施の形態５に係る照明装置の分解斜視図。
【図２５】実施の形態５に係る照明装置の断面図。
【図２６】実施の形態５に係る照明装置の分解断面図。
【発明を実施するための形態】
【０００９】
以下、本発明の実施の形態について、図を用いて説明する。各図中、同一または相当する部分には、同一符号を付している。実施の形態の説明において、同一または相当する部分については、説明を適宜省略または簡略化する。なお、本発明は、以下に説明する実施の形態に限定されるものではなく、必要に応じて種々の変更が可能である。例えば、以下に説明する実施の形態のうち、２つ以上の実施の形態が組み合わせられて実施されても構わない。あるいは、以下に説明する実施の形態のうち、１つの実施の形態または２つ以上の実施の形態の組み合わせが部分的に実施されても構わない。
【００１０】
実施の形態１．
本実施の形態について、図１から図６を用いて説明する。
【００１１】
＊＊＊構成の説明＊＊＊
図１から図５を参照して、本実施の形態に係る照明装置１０の構成を説明する。
【００１２】
図１は、照明装置１０を斜め下方から見た図である。図２は、照明装置１０を斜め上方から見た図である。図３は、図１に対応する、照明装置１０を分解した図である。図４は、照明装置１０の縦断面を示した図である。図５は、図４に対応する、照明装置１０を分解した図である。なお、本実施の形態の説明において、「上方」、「下方」、「側方」、「前方」、「後方」、「斜め上方」および「斜め下方」といった方向は、照明装置１０が天井に取り付けられているときの方向を示している。照明装置１０は、本実施の形態では、システム天井に取り付けられるが、システム天井以外の天井に取り付けられてもよいし、壁等、天井以外の被取付部に取り付けられてもよい。
【００１３】
照明装置１０は、空気が通り抜ける通路１１を有する。この通路１１を介して、室内と空気調和機が設置される天井裏との間で空気を流通させることができる。
【００１４】
照明装置１０は、照明器具１２と、取付具１３と、光源ユニット１４と、補強具２０とを備える。照明器具１２は、ケース２１と、反射板２２と、端板２３とを有する。すなわち、照明装置１０は、ケース２１と、反射板２２と、端板２３と、取付具１３と、光源ユニット１４と、補強具２０とを備える。
【００１５】
ケース２１は、幅寸法よりも長さ寸法が大きい長尺状である。ケース２１の高さ寸法は、任意の寸法でよいが、本実施の形態では、ケース２１の幅寸法よりも小さい。幅寸法とは、幅方向Ｘの寸法のことである。長さ寸法とは、長さ方向Ｙの寸法のことである。高さ寸法とは、高さ方向Ｚの寸法のことである。なお、ケース２１の長さ寸法は、ケース２１の幅寸法と同じでもよいし、ケース２１の幅寸法よりも小さくてもよい。
【００１６】
反射板２２は、幅方向Ｘに並ぶようにケース２１の両側に１つずつ取り付けられている。それぞれの反射板２２は、ケース２１の形状にあわせて、幅寸法よりも長さ寸法が大きい長尺状になっている。２つの反射板２２は、幅方向Ｘにおいて互いに線対称な形状である。なお、反射板２２の長さ寸法は、反射板２２の幅寸法と同じでもよいし、反射板２２の幅寸法よりも小さくてもよいが、ケース２１の長さ寸法と同じであることが望ましい。
【００１７】
端板２３は、ケース２１の短手方向に延びるように、ケース２１の長手方向の両端に１つずつ取り付けられている。２つの端板２３は、ケース２１の長手方向の両端部に形成される開口を塞いでいる。２つの端板２３は、ケース２１の長手方向の両端部だけでなく、反射板２２の長手方向の両端部とも連結されている。なお、２つの端板２３は、ケース２１または反射板２２に一体形成されていてもよい。端板２３は、ケース２１と反射板２２を連結している。
【００１８】
取付具１３は、幅方向Ｘに沿って照明器具１２の上を跨ぐように取り付けられている。取付具１３の数は、任意の数でよいが、本実施の形態では、２つである。それぞれの取付具１３は、幅方向Ｘの両端がシステム天井の天井枠に引っ掛けられるように下向きに折れ曲がっている。照明装置１０は、本実施の形態では、取付具１３をシステム天井の天井枠に引っ掛けることで、システム天井に取り付けられるが、ボルト等の固定具によりシステム天井以外の被取付部に取り付けられてもよい。
【００１９】
補強具２０は、２つの取付具１３の間に位置するように照明器具１２の外側に取り付けられている。
【００２０】
光源ユニット１４は、２つの反射板２２の間に位置するようにケース２１に取り付けられている。光源ユニット１４は、着脱できないようにケース２１に固定されていてもよいが、本実施の形態では、ケース２１に着脱自在に取り付けられている。光源ユニット１４は、ケース２１に取付可能な形状であればよいが、本実施の形態では、ケース２１の形状にあわせて、幅寸法よりも長さ寸法が大きい長尺状になっている。なお、光源ユニット１４の長さ寸法は、光源ユニット１４の幅寸法と同じでもよいし、光源ユニット１４の幅寸法よりも小さくてもよいが、ケース２１の長さ寸法と同じであることが望ましい。
【００２１】
図４から図６を参照して、光源ユニット１４の構成を説明する。
【００２２】
図６は、光源ユニット１４を斜め上方から見た図である。
【００２３】
光源ユニット１４は、光源部３０と、保持部３１と、カバー部３２と、光源蓋部３３と、連結部３４と、点灯装置３５とを有する。
【００２４】
光源部３０は、光を照射する。本実施の形態において、光源部３０は、複数のＬＥＤ１８と、これら複数のＬＥＤ１８が実装された基板１９とからなる。基板１９は、光源ユニット１４がケース２１に装着された状態で長尺方向がケース２１の長尺方向とほぼ一致するように長尺状に形成されている。ＬＥＤ１８は、基板１９の長尺方向に沿って直線状に並ぶように基板１９に配置されている。なお、ＬＥＤ１８に代えて、有機ＥＬ、レーザダイオード等、他の種類の固体発光素子が用いられてもよい。固体発光素子の数は、複数に限らず、１つであってもよい。
【００２５】
保持部３１は、光源部３０を片面である光源設置面１５で保持し、点灯装置３５を別の片面である保持部背面１６で保持している。本実施の形態において、保持部３１は、長手状である。保持部３１は、光源部３０が取り付けられる矩形板状の底壁部３６と、底壁部３６の長手方向の両側辺から垂直に突出した側壁部３７とからなる。すなわち、保持部３１は、片面が光源設置面１５であり、別の片面が保持部背面１６である底壁部３６と、この別の片面の両側から立ち上がる側壁部３７とを有する。底壁部３６の、光源部３０が取り付けられる面である光源設置面１５の反対側の保持部背面１６には、点灯装置３５だけでなく、連結部３４も配置されている。
【００２６】
カバー部３２は、保持部３１の光源設置面１５がある側に取り付けられ、光源部３０を覆っている。カバー部３２は、光源部３０から照射される光を、外側に露出している発光面１７から出射する。本実施の形態において、カバー部３２は、長手状である。カバー部３２は、光源部３０の光軸方向に配置されて光源部３０から遠ざかる方向に張り出す第一湾曲部３８と、第一湾曲部３８の両側に形成されて光源部３０に近づく方向に凹む第二湾曲部３９とを有する。第一湾曲部３８は、断面が円弧状に形成されている。第一湾曲部３８は、光源部３０から照射される光を拡散させることで配光を制御する。第二湾曲部３９は、光源ユニット１４の着脱時に作業者によってつまんで保持される。カバー部３２は、さらに、断面がコ字状であり、第二湾曲部３９の端部に形成され、保持部３１を側壁部３７側より挟み込むように保持部３１に固定される接続部４０を有する。カバー部３２は、押出成形が可能な樹脂材料で形成されている。樹脂材料としては、ポリカーボネート等が使用される。カバー部３２には、光の波長変換の機能が付加されていてもよい。
【００２７】
光源蓋部３３は、保持部３１およびカバー部３２の長手方向の両端部に形成される開口を塞いでいる。
【００２８】
連結部３４は、光源ユニット１４をケース２１に固定するための金具である。連結部３４には、穴が開けられている。連結部３４は、保持部３１の底壁部３６の２箇所にネジで固定されている。
【００２９】
点灯装置３５は、光源部３０に電力を供給する。これにより、点灯装置３５は、光源部３０を点灯させる。具体的には、点灯装置３５は、商用電源からの交流電力を直流電力に変換し、この直流電力を光源部３０に供給することで、光源部３０を点灯させる。図示していないが、点灯装置３５は、交流電力を直流電力に変換する点灯回路部を有する。点灯回路部は、点灯装置３５の箱形状の筐体に収容されている。
【００３０】
光源ユニット１４は、１対の側面部４１を有する。一方の側面部４１は、カバー部３２の一方の第二湾曲部３９に相当する。他方の側面部４１は、カバー部３２の他方の第二湾曲部３９に相当する。
【００３１】
図１から図３を参照して、照明器具１２の構成を説明する。
【００３２】
前述したように、照明器具１２は、ケース２１と、反射板２２と、端板２３とを有する。
【００３３】
ケース２１は、１対の側面部５１と、側面部５１同士をつなぐ底面部５２と、底面部５２に対向し、開口された開口面部５３とを有する。
【００３４】
反射板２２は、ケース２１の長手方向に延びるように１対設けられている。端板２３は、ケース２１の短手方向に延びるように１対設けられている。１対の反射板２２と１対の端板２３とに囲まれた空間は、光源ユニット１４とケース２１とを収納するための空間になっている。
【００３５】
ケース２１の底面部５２の片面には、バネ部２５と端子台２６とが取り付けられている。底面部５２の片面の、短手方向の両端からは、側面部５１が立ち上がっている。１対の側面部５１と底面部５２とに囲まれた空間は、点灯装置３５を収納するための空間になる。すなわち、１対の側面部５１および底面部５２は、光源ユニット１４の、点灯装置３５を含む一部分が挿入される凹部を形成している。底面部５２の別の片面には、取付具１３が取り付けられる。底面部５２には、ボルト等の固定具により照明器具１２を被取付部へ固定するための固定孔２８と、商用電源に接続された電線を引き込むための引込孔２７とが設けられている。なお、本実施の形態では、照明装置１０が取付具１３によりシステム天井に固定されるため、固定孔２８はなくてもよい。
【００３６】
端子台２６は、引込孔２７から引き込まれる電線と接続され、商用電源から供給される電力を点灯装置３５に供給する。そのために、端子台２６は、給電用の電線を介して点灯装置３５に接続される。
【００３７】
バネ部２５は、ケース２１の底面部５２において、ケース２１の長手方向の両端付近に１つずつ配置されている。バネ部２５は、先端部分が折れ曲がっており、中間部分が湾曲している。底面部５２におけるバネ部２５の設置箇所は、光源ユニット１４の保持部３１の底壁部３６における連結部３４の設置箇所と対応している。
【００３８】
ケース２１の開口面部５３には、光源ユニット１４が取り付けられる。光源ユニット１４が開口面部５３に取り付けられた状態において、商用電源からの電力が、ケース２１の底面部５２の片面に取り付けられた端子台２６を介して点灯装置３５に供給され、さらに、点灯装置３５から光源ユニット１４に供給されることにより、光源ユニット１４が点灯する。すなわち、光源ユニット１４は、ケース２１に収納された端子台２６を介して給電されて点灯する。
【００３９】
ここで、光源ユニット１４のケース２１への装着方法を説明する。
【００４０】
まず、ケース２１のバネ部２５の先端部分が、光源ユニット１４の連結部３４の穴に引っ掛けられる。
【００４１】
次に、光源ユニット１４がケース２１側へ押し込まれることで、光源ユニット１４の一部がケース２１の開口面部５３よりも内側に挿入される。このとき、バネ部２５の中間部分が連結部３４の穴の縁部で摺動しながら、連結部３４の先端部分がケース２１の底面部５２に当たるまで、光源ユニット１４が押し込まれる。これにより、光源ユニット１４がケース２１に固定される。
【００４２】
図１から図５を参照して、照明装置１０の構成をさらに説明する。
【００４３】
それぞれの反射板２２は、ケース２１の側面部５１および光源ユニット１４の側面部４１から離れた位置に設置されている。ケース２１の側面部５１と反射板２２との隙間７２および光源ユニット１４の側面部４１と反射板２２との隙間７３は、空気が通り抜ける通路１１の少なくとも一部を形成している。
【００４４】
具体的には、図４において、左側の反射板２２は、左側の通路１１の一部となる隙間７２が空くようにケース２１の左側の側面部５１から左方向に離して設置され、左側の通路１１の別の一部となる隙間７３が空くように光源ユニット１４の左側の側面部４１からも左方向に離して設置されている。同じように、図４において、右側の反射板２２は、右側の通路１１の一部となる隙間７２が空くようにケース２１の右側の側面部５１から右方向に離して設置され、右側の通路１１の別の一部となる隙間７３が空くように光源ユニット１４の右側の側面部４１からも右方向に離して設置されている。
【００４５】
それぞれの反射板２２は、第一面部６１と、第二面部６２と、第三面部６３とを有する。
【００４６】
第一面部６１は、ケース２１の開口面部５３から底面部５２に向かう方向においてケース２１の底面部５２と同じ位置に設置されている。すなわち、第一面部６１は、高さ方向Ｚにおいてケース２１の底面部５２と同じ位置に設置されている。ケース２１の側面部５１と第一面部６１との隙間７１は、空気が通り抜ける通路１１の出口を形成している。
【００４７】
具体的には、図４において、左側の反射板２２の第一面部６１は、ケース２１の底面部５２と同じ高さで、ケース２１の底面部５２と平行に延びている。この第一面部６１は、左側の通路１１の出口となる隙間７１が空くようにケース２１の底面部５２と左側の側面部５１とがつながっている箇所から左方向に離して設置されている。同じように、図４において、右側の反射板２２の第一面部６１は、ケース２１の底面部５２と同じ高さで、ケース２１の底面部５２と平行に延びている。この第一面部６１は、ケース２１の底面部５２と同じ高さで、右側の通路１１の出口となる隙間７１が空くようにケース２１の底面部５２と右側の側面部５１とがつながっている箇所から右方向に離して設置されている。
【００４８】
第二面部６２は、第一面部６１につながっている。少なくともケース２１の側面部５１と第二面部６２との隙間７２は、空気が通り抜ける通路１１の一部を形成している。
【００４９】
具体的には、図４において、左側の反射板２２の第二面部６２は、左側の反射板２２の第一面部６１の左端から斜め左下方向に延びている。この第二面部６２は、左側の通路１１の一部となる隙間７２が空くようにケース２１の左側の側面部５１から左方向に離して設置され、左側の通路１１の別の一部となる隙間７３が空くように光源ユニット１４の左側の側面部４１からも左方向に離して設置されている。同じように、図４において、右側の反射板２２の第二面部６２は、右側の反射板２２の第一面部６１の右端から斜め右下方向に延びている。この第二面部６２は、右側の通路１１の一部となる隙間７２が空くようにケース２１の右側の側面部５１から右方向に離して設置され、右側の通路１１の別の一部となる隙間７３が空くように光源ユニット１４の右側の側面部４１からも右方向に離して設置されている。
【００５０】
第三面部６３は、第二面部６２につながっている。少なくとも光源ユニット１４の側面部４１と第三面部６３との隙間７３は、空気が通り抜ける通路１１の別の一部を形成している。
【００５１】
具体的には、図４において、左側の反射板２２の第三面部６３は、左側の反射板２２の第二面部６２の下端から斜め左下方向に、その第二面部６２よりも緩い傾斜で延びている。この第三面部６３は、左側の通路１１の入口を含む隙間７３が空くように光源ユニット１４の左側の側面部４１から左方向に離して設置されている。同じように、図４において、右側の反射板２２の第三面部６３は、右側の反射板２２の第二面部６２の下端から斜め右下方向に、その第二面部６２よりも緩い傾斜で延びている。この第三面部６３は、右側の通路１１の入口を含む隙間７３が空くように光源ユニット１４の右側の側面部４１から右方向に離して設置されている。
【００５２】
第一面部６１、第二面部６２および第三面部６３の、少なくとも光源ユニット１４がある側には、光を反射する材質が使用されているか、あるいは、光を反射するための加工または塗装が施されている。
【００５３】
ケース２１および反射板２２の少なくともいずれかは、ケース２１の側面部５１と反射板２２の第一面部６１との隙間７１を遮蔽して、通路１１の出口が通路１１を通して視認されることを防いでいる。本実施の形態では、ケース２１が、ケース２１の一方の側面部５１から他方の側面部５１に向かう幅方向Ｘにおいてケース２１の外側に突出する突出部５４を有しており、この突出部５４がケース２１の側面部５１と反射板２２の第一面部６１との隙間７１を遮蔽している。
【００５４】
具体的には、図４において、ケース２１の左側の突出部５４は、左側の通路１１の出口となる隙間７１が下から見えないように、ケース２１の左側の側面部５１の下端から左方向に延びて、ケース２１の左側の側面部５１と左側の反射板２２の第二面部６２との隙間７２の一部を塞いでいる。同じように、ケース２１の右側の突出部５４は、右側の通路１１の出口となる隙間７１が下から見えないように、ケース２１の右側の側面部５１の下端から右方向に延びて、ケース２１の右側の側面部５１と右側の反射板２２の第二面部６２との隙間７２の一部を塞いでいる。
【００５５】
本実施の形態において、突出部５４は、光源ユニット１４の、光源部３０と点灯装置３５との間の部分に接している。具体的には、突出部５４は、光源ユニット１４のカバー部３２の接続部４０に接している。これにより、突出部５４は、発光面１７を形成しているカバー部３２の第一湾曲部３８と第二湾曲部３９とから出射される光を遮ることなく、隙間７１を隠すことができる。
【００５６】
また、本実施の形態において、突出部５４は、光源ユニット１４の着脱時に光源ユニット１４を掴みやすくなるように、少なくとも光源ユニット１４に隣接する箇所が平坦になっている。
【００５７】
突出部５４の、少なくとも光源ユニット１４がある側には、光を反射する材質が使用されているか、あるいは、光を反射するための加工または塗装が施されている。
【００５８】
それぞれの反射板２２は、さらに、補強部６５を有する。
【００５９】
補強部６５は、反射板２２の第一面部６１の、反射板２２の第二面部６２につながっている側とは反対側の端６６から立ち上がっている。
【００６０】
具体的には、図４において、左側の反射板２２の補強部６５は、左側の反射板２２の第一面部６１の、ケース２１の側面部５１に近い側の端６６から下方に延びている。同じように、図４において、右側の反射板２２の補強部６５は、右側の反射板２２の第一面部６１の、ケース２１の側面部５１に近い側の端６６から下方に延びている。このように、反射板２２に補強部６５を設けることで、反射板２２の剛性を高めることができる。
【００６１】
＊＊＊実施の形態の効果の説明＊＊＊
本実施の形態では、光源ユニット１４が取り付けられるケース２１に端子台２６が収納される。よって、ケース２１とは別のボックスを用意する必要がなく、照明装置１０の高さを低く抑えることができる。また、ケース２１の側面部５１および光源ユニット１４の側面部４１から離れた位置に反射板２２が設置され、ケース２１の側面部５１と反射板２２との隙間７２および光源ユニット１４の側面部４１と反射板２２との隙間７３が、空気が通り抜ける通路１１の少なくとも一部を形成する。よって、空気が通り抜ける通路１１を照明装置１０内に確保することができる。
【００６２】
本実施の形態では、ケース２１、反射板２２および端板２３によって形成されるスリット状の隙間７１を空調リターン穴とし、ケース２１の両側の突出部５４と反射板２２の第二面部６２、第三面部６３および補強部６５により隙間７１を器具下方からの視線に対し隠している。
【００６３】
本実施の形態では、ケース２１が、光源ユニット１４からの光を反射する機能と、光源ユニット１４を保持する機能との両方を兼ね備えている。ケース２１の内部には、光源ユニット１４に一体化されている点灯装置３５のほか、端子台２６等の、点灯に必要な部材をすべて格納できることから、従来器具に必要であった安定器ボックスが不要となり、器具の薄型化が可能となる。また、安定器ボックスを省略し、器具高さを低く抑えることができるとともに、材料の削減にも寄与することができる。
【００６４】
本実施の形態では、反射板２２が、ほぼＺ字状につながっている第一面部６１と、第二面部６２と、第三面部６３とを有する。第一面部６１は、天井面に対して水平に設けられており、ケース２１および端板２３とともに空調リターン穴を形成している。第二面部６２および第三面部６３は、器具下方から空調リターン穴への視線を遮る機能を有している。第二面部６２および第三面部６３の互いにつながっている箇所は、光源部３０よりも下側に位置している。第三面部６３は、そのつながっている箇所から器具最外殻および天井切込穴までを覆う。本実施の形態によれば、要求される大きさの空調リターン穴を照明装置１０に設けつつ、器具下方から空調リターン穴を通して天井裏が目視されることを防いで、照明装置１０の意匠性を維持することが可能となる。
【００６５】
＊＊＊他の構成＊＊＊
図示していないが、本実施の形態の変形例として、空気が通り抜ける通路１１の、隙間７１とは別の出口を形成する貫通孔が、反射板２２の第二面部６２に設けられていてもよい。そのような貫通孔を設けることで、空気の流通量を増加させることができる。
【００６６】
照明装置１０は、システム天井に取り付けられる代わりに、天井に埋め込まれてもよいし、天井から吊り下げられてもよい。
【００６７】
実施の形態２．
本実施の形態について、主に実施の形態１との差異を、図７から図１１を用いて説明する。
【００６８】
＊＊＊構成の説明＊＊＊
図７から図１１を参照して、本実施の形態に係る照明装置１０の構成を説明する。
【００６９】
図７は、照明装置１０を斜め下方から見た図である。図８は、照明装置１０を斜め上方から見た図である。図９は、図７に対応する、照明装置１０を分解した図である。図１０は、照明装置１０の縦断面を示した図である。図１１は、図１０に対応する、照明装置１０を分解した図である。
【００７０】
それぞれの反射板２２は、実施の形態１と同じように、第一面部６１と、第二面部６２と、第三面部６３とを有する。
【００７１】
実施の形態１では、２つの反射板２２の第二面部６２が、下方に向かって開くハの字状に形成されている。これに対し、本実施の形態では、２つの反射板２２の第二面部６２が、上方に向かって開く逆ハの字状に形成されている。
【００７２】
具体的には、図１０において、左側の反射板２２の第二面部６２は、左側の反射板２２の第一面部６１の左端から斜め右下方向に延びている。この第二面部６２は、左側の通路１１の一部となる隙間７２が空くようにケース２１の左側の側面部５１から左方向に離して設置され、左側の通路１１の別の一部となる隙間７３が空くように光源ユニット１４の左側の側面部４１からも左方向に離して設置されている。同じように、図１０において、右側の反射板２２の第二面部６２は、右側の反射板２２の第一面部６１の右端から斜め左下方向に延びている。この第二面部６２は、右側の通路１１の一部となる隙間７２が空くようにケース２１の右側の側面部５１から右方向に離して設置され、右側の通路１１の別の一部となる隙間７３が空くように光源ユニット１４の右側の側面部４１からも右方向に離して設置されている。
【００７３】
図１０において、左側の反射板２２の第三面部６３は、左側の反射板２２の第二面部６２の下端から斜め左下方向に、その第二面部６２よりも緩い傾斜で延びている。この第三面部６３は、左側の通路１１の入口を含む隙間７３が空くように光源ユニット１４の左側の側面部４１から左方向に離して設置されている。同じように、図１０において、右側の反射板２２の第三面部６３は、右側の反射板２２の第二面部６２の下端から斜め右下方向に、その第二面部６２よりも緩い傾斜で延びている。この第三面部６３は、右側の通路１１の入口を含む隙間７３が空くように光源ユニット１４の右側の側面部４１から右方向に離して設置されている。
【００７４】
ケース２１および反射板２２の少なくともいずれかは、ケース２１の側面部５１と反射板２２の第一面部６１との隙間７１を遮蔽して、通路１１の出口が通路１１を通して視認されることを防いでいる。本実施の形態では、実施の形態１と同じように、ケース２１が、ケース２１の一方の側面部５１から他方の側面部５１に向かう幅方向Ｘにおいてケース２１の外側に突出する突出部５４を有しており、この突出部５４がケース２１の側面部５１と反射板２２の第一面部６１との隙間７１を遮蔽している。
【００７５】
本実施の形態において、反射板２２の第一面部６１は、ケース２１の突出部５４の突出している端５５と、反射板２２の第二面部６２の、反射板２２の第三面部６３につながっている端６４とを結ぶ直線の延長線Ｌ１に対して、ケース２１の底面部５２に近い側Ｓ１ａまで延びている。このような構成によって、通路１１の出口となる隙間７１が、照明装置１０の真下からだけでなく、斜め下からも見えないようになる。
【００７６】
＊＊＊実施の形態の効果の説明＊＊＊
本実施の形態では、上記の点を除き、実施の形態１と同等の効果が得られる。
【００７７】
＊＊＊他の構成＊＊＊
図示していないが、本実施の形態の変形例として、空気が通り抜ける通路１１の、隙間７１とは別の出口を形成する貫通孔が、反射板２２の第二面部６２に設けられていてもよい。そのような貫通孔を設けることで、空気の流通量を増加させることができる。本実施の形態では、２つの反射板２２の第二面部６２が逆ハの字状に形成されているため、実施の形態１の変形例で設けられる貫通孔よりも大きな貫通孔を設けることができる。
【００７８】
実施の形態３．
本実施の形態について、主に実施の形態１との差異を、図１２から図１６を用いて説明する。
【００７９】
＊＊＊構成の説明＊＊＊
図１２から図１６を参照して、本実施の形態に係る照明装置１０の構成を説明する。
【００８０】
図１２は、照明装置１０を斜め下方から見た図である。図１３は、照明装置１０を斜め上方から見た図である。図１４は、図１２に対応する、照明装置１０を分解した図である。図１５は、照明装置１０の縦断面を示した図である。図１６は、図１５に対応する、照明装置１０を分解した図である。
【００８１】
実施の形態１では、反射板２２の第一面部６１が、ケース２１の開口面部５３から底面部５２に向かう方向においてケース２１の底面部５２と同じ位置に設置されている。これに対し、本実施の形態では、反射板２２の第一面部６１が、ケース２１の開口面部５３から底面部５２に向かう方向においてケース２１の底面部５２から開口面部５３のある側にずれた位置に設置されている。すなわち、反射板２２の第一面部６１が、高さ方向Ｚにおいてケース２１の底面部５２よりも低い位置に設置されている。
【００８２】
また、実施の形態１では、端子台２６に接続される電線を引き込むための引込孔２７が、ケース２１の底面部５２に設けられている。これに対し、本実施の形態では、端子台２６に接続される電線を引き込むための引込孔２７が、ケース２１の側面部５１に設けられている。この引込孔２７は、具体的には、ケース２１の側面部５１の、ケース２１の開口面部５３から底面部５２に向かう方向において反射板２２の第一面部６１からケース２１の底面部５２のある側にずれた位置に設けられている。すなわち、引込孔２７は、ケース２１の側面部５１の、高さ方向Ｚにおいて反射板２２の第一面部６１よりも高い位置に設けられている。そのため、器具外側から行われる結線の作業が容易になる。
【００８３】
＊＊＊実施の形態の効果の説明＊＊＊
本実施の形態では、上記の点を除き、実施の形態１と同等の効果が得られる。
【００８４】
実施の形態４．
本実施の形態について、主に実施の形態１との差異を、図１７から図２１を用いて説明する。
【００８５】
＊＊＊構成の説明＊＊＊
図１７から図２１を参照して、本実施の形態に係る照明装置１０の構成を説明する。
【００８６】
図１７は、照明装置１０を斜め下方から見た図である。図１８は、照明装置１０を斜め上方から見た図である。図１９は、図１７に対応する、照明装置１０を分解した図である。図２０は、照明装置１０の縦断面を示した図である。図２１は、図２０に対応する、照明装置１０を分解した図である。
【００８７】
照明装置１０は、照明器具１２と、取付具１３と、光源ユニット１４と、反射板２２と、端板２３と、枠部材８０とを備える。照明器具１２は、ケース２１を有する。すなわち、照明装置１０は、ケース２１と、反射板２２と、端板２３と、補助部材２４と、取付具１３と、光源ユニット１４と、枠部材８０とを備える。
【００８８】
枠部材８０は、長方形状であるが、正方形状でもよい。
【００８９】
取付具１３は、枠部材８０の長辺に相当する部分に取り付けられている。取付具１３の数は、任意の数でよいが、本実施の形態では、４つである。それぞれの取付具１３は、下端がシステム天井の天井枠に引っ掛けられるように高さ方向Ｚに延びている。枠部材８０は、本実施の形態では、取付具１３をシステム天井の天井枠に引っ掛けることで、システム天井に取り付けられるが、ボルト等の固定具によりシステム天井以外の被取付部に取り付けられてもよい。
【００９０】
反射板２２は、枠部材８０の形状にあわせて、幅寸法よりも長さ寸法が大きい長尺状になっている。反射板２２は、長手方向の両端部が枠部材８０に締結されることで、枠部材８０に取り付けられている。
【００９１】
端板２３は、反射板２２の短手方向に延びるように、反射板２２の長手方向の両端に１つずつ取り付けられている。２つの端板２３は、反射板２２の長手方向の両端部に形成される開口を塞いでいる。なお、２つの端板２３は、反射板２２に一体形成されていてもよい。端板２３は、ケース２１と反射板２２を連結している。
【００９２】
ケース２１は、反射板２２の形状にあわせて、幅寸法よりも長さ寸法が大きい長尺状になっている。ケース２１の高さ寸法は、任意の寸法でよいが、本実施の形態では、ケース２１の幅寸法よりも小さい。本実施の形態では、ケース２１の長手方向の両端部が閉塞されているが、実施の形態１と同じように、ケース２１の長手方向の両端部が開口されていてもよい。ケース２１は、補助部材２４を介して反射板２２に取り付けられている。
【００９３】
補助部材２４は、金属板を折曲加工した部材である。反射板２２に対して照明器具１２が取り付けられる高さは、補助部材２４の高さ寸法によって決まる。よって、反射板２２に対して照明器具１２が取り付けられる高さを変更したい場合は、補助部材２４を高さ寸法の異なるものに変更すればよい。なお、補助部材２４は省略してもよい。すなわち、ケース２１は、反射板２２に直接取り付けられてもよい。
【００９４】
光源ユニット１４は、ケース２１が反射板２２に連結された状態で、ケース２１に取り付けられている。光源ユニット１４は、着脱できないようにケース２１に固定されていてもよいが、本実施の形態では、ケース２１に着脱自在に取り付けられている。光源ユニット１４は、ケース２１に取付可能な形状であればよいが、本実施の形態では、ケース２１の形状にあわせて、幅寸法よりも長さ寸法が大きい長尺状になっている。なお、光源ユニット１４の長さ寸法は、光源ユニット１４の幅寸法と同じでもよいし、光源ユニット１４の幅寸法よりも小さくてもよいが、ケース２１の長さ寸法と同じであることが望ましい。
【００９５】
光源ユニット１４の構成については、実施の形態１と同じであるため、説明を省略する。
【００９６】
図１７から図１９を参照して、照明装置１０の構成を説明する。
【００９７】
前述したように、照明装置１０は、ケース２１と、反射板２２と、端板２３と、補助部材２４とを有する。
【００９８】
ケース２１は、実施の形態１と同じように、１対の側面部５１と、側面部５１同士をつなぐ底面部５２と、底面部５２に対向し、開口された開口面部５３とを有する。
【００９９】
反射板２２は、ケース２１の長手方向に延びるように１つ設けられている。反射板２２には、商用電源に接続された電線を引き込むための引込孔２９と、空気が通り抜ける通路１１の出口を形成する貫通孔７４とが設けられている。端板２３は、ケース２１の短手方向に延びるように１対設けられている。反射板２２と１対の端板２３とに囲まれた空間は、光源ユニット１４とケース２１とを収納するための空間になっている。
【０１００】
ケース２１の底面部５２の片面には、バネ部２５と端子台２６とが取り付けられている。底面部５２の片面の、短手方向の両端からは、側面部５１が立ち上がっている。１対の側面部５１と底面部５２とに囲まれた空間は、点灯装置３５を収納するための空間になる。すなわち、１対の側面部５１および底面部５２は、光源ユニット１４の、点灯装置３５を含む一部分が挿入される凹部を形成している。底面部５２の別の片面は、補助部材２４に接している。底面部５２には、実施の形態１における固定孔２８のような穴は設けられていないが、実施の形態１における引込孔２７と同等の、図示していない穴が設けられている。この穴は、反射板２２の引込孔２９に対応する位置に配置されている。
【０１０１】
光源ユニット１４のケース２１への装着方法については、実施の形態１と同じであるため、説明を省略する。
【０１０２】
図１７から図２１を参照して、照明装置１０の構成をさらに説明する。
【０１０３】
反射板２２は、ケース２１の側面部５１および光源ユニット１４の側面部４１から離れた位置に設置されている。ケース２１の側面部５１と反射板２２との隙間７２および光源ユニット１４の側面部４１と反射板２２との隙間７３は、空気が通り抜ける通路１１の少なくとも一部を形成している。
【０１０４】
具体的には、図２０において、反射板２２の左側の部分は、左側の通路１１の一部となる隙間７２が空くようにケース２１の左側の側面部５１から左方向に離して設置され、左側の通路１１の別の一部となる隙間７３が空くように光源ユニット１４の左側の側面部４１からも左方向に離して設置されている。同じように、図２０において、反射板２２の右側の部分は、右側の通路１１の一部となる隙間７２が空くようにケース２１の右側の側面部５１から右方向に離して設置され、右側の通路１１の別の一部となる隙間７３が空くように光源ユニット１４の右側の側面部４１からも右方向に離して設置されている。
【０１０５】
反射板２２は、第一面部６１と、第二面部６２と、第三面部６３とを２つずつ有する。
【０１０６】
第一面部６１は、補助部材２４を介してケース２１の底面部５２と連結されている。前述した貫通孔７４は、第一面部６１の、ケース２１の底面部５２と重なっている位置に設けられている。
【０１０７】
具体的には、図２０において、反射板２２の中央の第一面部６１は、ケース２１の底面部５２よりも高い位置で、ケース２１の底面部５２と平行に延びている。図１８に示すように、この第一面部６１には、左右両側の通路１１の出口となる貫通孔７４が長さ方向Ｙに沿って複数設けられている。長さ方向Ｙの一端から１つ目の貫通孔７４と２つ目の貫通孔７４との間には、補助部材２４を介してケース２１の底面部５２と連結される領域が設けられている。同じように、長さ方向Ｙの他端から１つ目の貫通孔７４と２つ目の貫通孔７４との間には、補助部材２４を介してケース２１の底面部５２と締結される領域が設けられている。長さ方向Ｙの一端から７つ目の貫通孔７４と長さ方向Ｙの他端から７つ目の貫通孔７４との間には、前述した引込孔２９が設けられている。なお、貫通孔７４の数および配置は、適宜変更することができる。
【０１０８】
実施の形態１と同じように、第二面部６２は、第一面部６１につながっている。少なくともケース２１の側面部５１と第二面部６２との隙間７２は、空気が通り抜ける通路１１の一部を形成している。
【０１０９】
具体的には、図２０において、反射板２２の左側の第二面部６２は、反射板２２の第一面部６１の左端から真下方向に延びている。この第二面部６２は、左側の通路１１の一部となる隙間７２が空くようにケース２１の左側の側面部５１から左方向に離して設置されている。同じように、図２０において、反射板２２の右側の第二面部６２は、反射板２２の第一面部６１の右端から真下方向に延びている。この第二面部６２は、右側の通路１１の一部となる隙間７２が空くようにケース２１の右側の側面部５１から右方向に離して設置されている。
【０１１０】
実施の形態１と同じように、第三面部６３は、第二面部６２につながっている。少なくとも光源ユニット１４の側面部４１と第三面部６３との隙間７３は、空気が通り抜ける通路１１の別の一部を形成している。
【０１１１】
具体的には、図２０において、反射板２２の左側の第三面部６３は、反射板２２の左側の第二面部６２の下端から斜め左下方向に延びている。この第三面部６３は、左側の通路１１の入口を含む隙間７３が空くように光源ユニット１４の左側の側面部４１から左方向に離して設置されている。同じように、図２０において、反射板２２の右側の第三面部６３は、反射板２２の右側の第二面部６２の下端から斜め右下方向に延びている。この第三面部６３は、右側の通路１１の入口を含む隙間７３が空くように光源ユニット１４の右側の側面部４１から右方向に離して設置されている。
【０１１２】
ケース２１、光源ユニット１４および反射板２２の少なくともいずれかは、反射板２２の貫通孔７４を遮蔽して、通路１１の出口が通路１１を通して視認されることを防いでいる。本実施の形態では、ケース２１が、反射板２２の第一面部６１と連結されて第一面部６１の一部と重なる底面部５２を有しており、この底面部５２が第一面部６１の当該一部に設けられた貫通孔７４を遮蔽している。
【０１１３】
＊＊＊実施の形態の効果の説明＊＊＊
本実施の形態では、実施の形態１と同じように、光源ユニット１４が取り付けられるケース２１に端子台２６が収納される。よって、ケース２１とは別のボックスを用意する必要がなく、照明装置１０の高さを低く抑えることができる。また、ケース２１の側面部５１および光源ユニット１４の側面部４１から離れた位置に反射板２２が設置され、ケース２１の側面部５１と反射板２２との隙間７２および光源ユニット１４の側面部４１と反射板２２との隙間７３が、空気が通り抜ける通路１１の少なくとも一部を形成する。よって、空気が通り抜ける通路１１を照明装置１０内に確保することができる。
【０１１４】
本実施の形態では、反射板２２が、照明器具１２を取付可能な、空調リターン穴を有した目隠しプレートになっている。この目隠しプレートは、安価な直付け用の照明器具１２および光源ユニット１４に対して下面を開放し、下面以外の面で照明器具１２および光源ユニット１４を覆うように設けられている。目隠しプレートには、照明器具１２を取り付けるための補助部材２４が備え付けられている。目隠しプレートの天井面側には、空調リターン穴となる貫通孔７４が設けられているが、下方からは貫通孔７４が見えないようになっている。
【０１１５】
既設の天井にあわせて新規の器具を設計することは時間を要するが、本実施の形態では、既存の安価な直付け用の照明器具１２を活用し、目隠しプレートのみを既設の天井にあわせて設計および提供することができるため、短い納期への対応が可能となる。また、十分な空調リターン面積を確保することができる。
【０１１６】
＊＊＊他の構成＊＊＊
枠部材８０は、システム天井に取り付けられる代わりに、天井に埋め込まれてもよいし、天井から吊り下げられてもよい。すなわち、本実施の形態においても、照明装置１０は、システム天井に取り付けられる代わりに、天井に埋め込まれてもよいし、天井から吊り下げられてもよい。いずれの場合も、既存の安価な直付け用の照明器具１２を活用し、目隠しプレートのみを既設の天井切り込み穴、既設のシステム天井の埋め込みサイズ、もしくは、異なるＴバー芯間隔にあわせて設計および提供することができる。
【０１１７】
実施の形態５．
本実施の形態について、主に実施の形態１との差異を、図２２から図２６を用いて説明する。
【０１１８】
＊＊＊構成の説明＊＊＊
図２２から図２６を参照して、本実施の形態に係る照明装置１０の構成を説明する。
【０１１９】
図２２は、照明装置１０を斜め下方から見た図である。図２３は、照明装置１０を斜め上方から見た図である。図２４は、図２２に対応する、照明装置１０を分解した図である。図２５は、照明装置１０の縦断面を示した図である。図２６は、図２５に対応する、照明装置１０を分解した図である。
【０１２０】
反射板２２は、実施の形態１と同じように、第一面部６１と、第二面部６２と、第三面部６３とを２つずつ有する。
【０１２１】
実施の形態４では、第一面部６１が、補助部材２４を介してケース２１の底面部５２と連結されている。これに対し、本実施の形態では、第一面部６１が、ケース２１の底面部５２と直接連結されている。
【０１２２】
また、実施の形態４では、空気が通り抜ける通路１１の出口を形成する貫通孔７４が、第一面部６１の、ケース２１の底面部５２と重なっている位置に設けられている。これに対し、本実施の形態では、空気が通り抜ける通路１１の出口を形成する貫通孔７４が、第二面部６２に設けられている。
【０１２３】
また、実施の形態４では、反射板２２の２つの第二面部６２が、下方に向かって垂直に延びるように形成されている。これに対し、本実施の形態では、反射板２２の２つの第二面部６２が、上方に向かって開く逆ハの字状に形成されている。
【０１２４】
具体的には、図２５において、反射板２２の中央の第一面部６１は、ケース２１の底面部５２よりも高い位置で、ケース２１の底面部５２と平行に延びている。図２３に示すように、この第一面部６１には、商用電源に接続された電線を引き込むための引込孔２９が長さ方向Ｙの中央に設けられているが、貫通孔７４は１つも設けられていない。
【０１２５】
図２５において、反射板２２の左側の第二面部６２は、反射板２２の第一面部６１の左端から斜め右下方向に延びている。この第二面部６２は、左側の通路１１の一部となる隙間７２が空くようにケース２１の左側の側面部５１から左方向に離して設置されている。また、図２４に示すように、この第二面部６２には、左側の通路１１の出口となる貫通孔７４が長さ方向Ｙに沿って複数設けられている。同じように、図２５において、反射板２２の右側の第二面部６２は、反射板２２の第一面部６１の右端から斜め左下方向に延びている。この第二面部６２は、右側の通路１１の一部となる隙間７２が空くようにケース２１の右側の側面部５１から右方向に離して設置されている。また、図２４に示すように、この第二面部６２には、右側の通路１１の出口となる貫通孔７４が長さ方向Ｙに沿って複数設けられている。なお、貫通孔７４の数および配置は、適宜変更することができる。
【０１２６】
図２５において、反射板２２の左側の第三面部６３は、反射板２２の左側の第二面部６２の下端から斜め左下方向に延びている。この第三面部６３は、左側の通路１１の入口を含む隙間７３が空くように光源ユニット１４の左側の側面部４１から左方向に離して設置されている。同じように、図２５において、反射板２２の右側の第三面部６３は、反射板２２の右側の第二面部６２の下端から斜め右下方向に延びている。この第三面部６３は、右側の通路１１の入口を含む隙間７３が空くように光源ユニット１４の右側の側面部４１から右方向に離して設置されている。
【０１２７】
ケース２１、光源ユニット１４および反射板２２の少なくともいずれかは、反射板２２の貫通孔７４を遮蔽して、通路１１の出口が通路１１を通して視認されることを防いでいる。本実施の形態では、反射板２２の２つの第二面部６２が逆ハの字状に形成されていることで、光源ユニット１４および反射板２２そのものが第二面部６２に設けられた貫通孔７４を遮蔽できるようになっている。
【０１２８】
本実施の形態において、反射板２２の第二面部６２は、光源ユニット１４の側面部４１の、ケース２１から遠い側の端４２と、反射板２２の第二面部６２の、反射板２２の第一面部６１につながっている端６７とを結ぶ直線Ｌ２に対して、ケース２１の底面部５２に近い側Ｓ２ａに設けられている。このような構成によって、通路１１の出口となる貫通孔７４が、照明装置１０の真下からだけでなく、斜め下からも見えないようになる。
【０１２９】
＊＊＊実施の形態の効果の説明＊＊＊
本実施の形態では、上記の点を除き、実施の形態４と同等の効果が得られる。
【符号の説明】
【０１３０】
１０  照明装置、１１  通路、１２  照明器具、１３  取付具、１４  光源ユニット、１５  光源設置面、１６  保持部背面、１７  発光面、１８  ＬＥＤ、１９  基板、２０
補強具、２１  ケース、２２  反射板、２３  端板、２４  補助部材、２５  バネ部、２６  端子台、２７  引込孔、２８  固定孔、２９  引込孔、３０  光源部、３１  保持部、３２  カバー部、３３  光源蓋部、３４  連結部、３５  点灯装置、３６  底壁部、３７  側壁部、３８  第一湾曲部、３９  第二湾曲部、４０  接続部、４１  側面部、４２  端、５１  側面部、５２  底面部、５３  開口面部、５４  突出部、５５  端、６１  第一面部、６２  第二面部、６３  第三面部、６４  端、６５  補強部、６６  端、６７  端、７１  隙間、７２  隙間、７３  隙間、７４  貫通孔、８０  枠部材。
【図１】
2018073626.tif 000003
【図２】
2018073626.tif 000004
【図３】
2018073626.tif 000005
【図４】
2018073626.tif 000006
【図５】
2018073626.tif 000007
【図６】
2018073626.tif 000008
【図７】
2018073626.tif 000009
【図８】
2018073626.tif 000010
【図９】
2018073626.tif 000011
【図１０】
2018073626.tif 000012
【図１１】
2018073626.tif 000013
【図１２】
2018073626.tif 000014
【図１３】
2018073626.tif 000015
【図１４】
2018073626.tif 000016
【図１５】
2018073626.tif 000017
【図１６】
2018073626.tif 000018
【図１７】
2018073626.tif 000019
【図１８】
2018073626.tif 000020
【図１９】
2018073626.tif 000021
【図２０】
2018073626.tif 000022
【図２１】
2018073626.tif 000023
【図２２】
2018073626.tif 000024
【図２３】
2018073626.tif 000025
【図２４】
2018073626.tif 000026
【図２５】
2018073626.tif 000027
【図２６】
2018073626.tif 000028